(57)【要約】【課題】貨幣処理装置における貨幣の誤装填を防止する。【解決手段】貨幣処理装置１は、貨幣を一つ一つ送り出す受入部（投入部１４、装填部８１）と、貨幣の固有番号を読み取る読取部（識別部２０、判別部８５）と、読取部の読み取り順によって定まる、貨幣の固有番号の並びに関する番号体系であって、装置に優先して装填する貨幣の番号体系を記憶する記憶部３１０と、読取部が逐次読み取った固有番号の並びが、記憶部が記憶している番号体系に一致しないときに、装填処理を停止する制御部３００と、を備える。【選択図】図７
2019046373.tif 000002
【特許請求の範囲】
【請求項１】
装置に貨幣を装填する装填処理の時に、装填用の前記貨幣を受け入れると共に、前記貨幣を一つ一つ送り出す受入部と、
前記受入部が送り出した前記貨幣の固有番号を読み取る読取部と、
前記読取部の読み取り順によって定まる、前記貨幣の固有番号の並びに関する番号体系であって、前記装置に優先して装填する前記貨幣の番号体系を記憶する記憶部と、
前記読取部が逐次読み取った固有番号の並びが、前記記憶部が記憶している番号体系に一致しないときに、前記装填処理を停止する制御部と、を備えている貨幣処理装置。
【請求項２】
固有番号の並びが、前記記憶部が記憶している番号体系に一致しないことを操作者に報知する報知部を備えている請求項１に記載の貨幣処理装置。
【請求項３】
前記制御部は、前記装填処理の開始から所定数の貨幣について、固有番号の並びが、前記記憶部が記憶している番号体系に一致するか否かを判定する請求項１又は２に記載の貨幣処理装置。
【請求項４】
前記制御部は、前記装填処理を停止した場合に、前記装填処理を中止するか、又は、継続するかを指示する操作者の操作を受け付ける請求項１〜３のいずれか１項に記載の貨幣処理装置。
【請求項５】
前記読取部が固有番号を読み取った前記貨幣を収納する収納部を備え、
前記制御部は、前記装填処理を中止する操作を受けたときに、前記収納部に既に収納している貨幣を回収する処理を行う請求項４に記載の貨幣処理装置。
【請求項６】
前記制御部は、前記装填処理を継続する操作を受けた後は、番号体系に一致しないことを理由に前記装填処理を停止することは行わない請求項４又は５に記載の貨幣処理装置。
【請求項７】
前記番号体系は、固有番号が連続しかつ、新券に相当する第１番号体系と、固有番号が連続せずかつ、流通券に相当する第２番号体系と、を有し、
装填用の前記貨幣を前記受入部に受け入れる際に、前記装置に優先して装填する前記貨幣の番号体系に係る情報を、操作者に通知する通知部を備えている請求項１〜６のいずれか１項に記載の貨幣処理装置。
【請求項８】
前記装置は、新券を出金するよう構成され、
前記記憶部は、固有番号が連続する番号体系を記憶する請求項１〜７のいずれか１項に記載の貨幣処理装置。
【請求項９】
前記装置は、流通券を出金するよう構成され、
前記記憶部は、固有番号が連続しない番号体系を記憶する請求項１〜７のいずれか１項に記載の貨幣処理装置。
【請求項１０】
新券を収納する第１収納部と、流通券を収納する第２収納部と、を備え、
前記記憶部は、前記第１収納部に装填する前記貨幣の番号体系として、固有番号が連続する番号体系を記憶すると共に、前記第２収納部に装填する前記貨幣の番号体系として、固有番号が連続しない番号体系を記憶する請求項１〜７のいずれか１項に記載の貨幣処理装置。
【発明の詳細な説明】
【技術分野】
【０００１】
ここに開示する技術は、貨幣処理装置に関する。
【背景技術】
【０００２】
特許文献１には、有価媒体処理装置と、バラ紙幣処理装置と、を含む貨幣処理システムが記載されている。この貨幣処理システムは、例えば銀行等の店舗に設置されるシステムである。有価媒体処理装置は、いわゆる新券（つまり、中央銀行から銀行等の金融機関に配送されかつ、未だ市場流通してない紙幣。官封券を含む）を収納する収納部を備えている。有価媒体処理装置は、新券を出金することが可能である。バラ紙幣処理装置は、いわゆる流通券（つまり、新券とは異なり、既に市場流通している紙幣）を収納する収納部を備えている。バラ紙幣処理装置は、流通券を出金することが可能である。
【先行技術文献】
【特許文献】
【０００３】
【特許文献１】特開２０１３−１９６０１３号公報
【発明の概要】
【発明が解決しようとする課題】
【０００４】
ところで、特許文献１に記載されているような貨幣処理システムにおいて、有価媒体処理装置には、新券を装填しなければならず、バラ紙幣処理装置には、流通券を装填することが好ましい。バラ紙幣処理装置に、操作者が誤って新券を装填してしまうと、当該店舗の新券が不足してしまう事態が生じる恐れがある。逆に、有価媒体処理装置に、操作者が誤って流通券を装填してしまうと、有価媒体処理装置から新券を出金しようとしても、流通券が出金されてしまう事態となる。
【０００５】
ここに開示する技術はかかる点に鑑みてなされたものであり、その目的とするところは、貨幣処理装置における貨幣の誤装填を防止することにある。
【課題を解決するための手段】
【０００６】
具体的に、ここに開示する技術は貨幣処理装置に係る。この貨幣処理装置は、装置に貨幣を装填する装填処理の時に、装填用の前記貨幣を受け入れると共に、前記貨幣を一つ一つ送り出す受入部と、前記受入部が送り出した前記貨幣の固有番号を読み取る読取部と、前記読取部の読み取り順によって定まる、前記貨幣の固有番号の並びに関する番号体系であって、前記装置に優先して装填する前記貨幣の番号体系を記憶する記憶部と、前記読取部が逐次読み取った固有番号の並びが、前記記憶部が記憶している番号体系に一致しないときに、前記装填処理を停止する制御部と、を備えている。
【０００７】
この構成によると、装填処理を行うときには、操作者が装填用の貨幣を受入部に入れる。受入部は、貨幣を一つ一つ送り出す。読取部は、受入部が送り出した貨幣の固有番号（つまり、記番号）を読み取る。固有番号が読み取られた貨幣は、後述するように、収納部に収納してもよい。
【０００８】
尚、この「収納部」は、出金用に貨幣を収納する収納部であって、装填処理時に紙幣を装填する収納部であってもよい。また、出金用の貨幣を収納する収納部とは別に設けられかつ、当該収納部に貨幣を収納する前に、貨幣を一時的に収納する収納部（いわゆる、一時保留部）であってもよい。固有番号が読み取られた貨幣を一時保留部に収納する場合は、一時保留部が満量になれば、又は、装填用の貨幣が全て一時保留部に収納されれば、一時保留部に収納している貨幣を繰り出すと共に、繰り出した貨幣を、出金用の貨幣を収納する収納部に収納すればよい。出金用の貨幣を収納する収納部に、装填用の貨幣が収納されると、貨幣の装填処理が完了する。
【０００９】
前記の構成では、記憶部が、装置に優先して装填する貨幣の番号体系を記憶している。番号体系は、読取部の読み取り順によって定まる、貨幣の固有番号の並びに関する。具体的に番号体系には、固有番号が連続する番号体系（後述する第１番号体系）と、固有番号が連続しない番号体系（後述する第２番号体系）とが存在する。官封券は、固有番号が連続している貨幣によって構成されるため、官封券の帯を外して、貨幣を装置に装填すると、読取部が逐次読み取る固有番号は連続する。よって、第１番号体系は新券に相当する。一方、複数の流通券を重ねても、通常は、固有番号が連続して並ばないから、流通券を装置に装填すると、読取部が逐次読み取る固有番号は連続しない。よって、第２番号体系は流通券に相当する。
【００１０】
制御部は、読取部が逐次読み取った固有番号の並びが、記憶部が記憶している番号体系に一致しないときに、装填処理を停止する。これにより、装置への誤装填を防止することができる。
【００１１】
前記貨幣処理装置は、固有番号の並びが、前記記憶部が記憶している番号体系に一致しないことを操作者に報知する報知部を備えている、としてもよい。
【００１２】
こうすることで、装填処理が停止すると共に、番号体系に一致しないことが操作者に報知される。操作者は、誤装填、又は、誤装填の可能性があることを認識することができる。報知部は、例えばディスプレイ等に表示をするよう構成してもよいし、例えば音声案内等を出力するよう構成してもよい。
【００１３】
前記制御部は、前記装填処理の開始から所定数の貨幣について、固有番号の並びが、前記記憶部が記憶している番号体系に一致するか否かを判定する、としてもよい。
【００１４】
つまり、制御部は、受入部が送り出しを開始した当初の、所定数の貨幣について固有番号の並びに関する判定を行う。装填処理を開始したときに、誤装填か否かを判定することができる。誤装填、又は、誤装填の可能性があるときには、装填処理を開始すると、間もなく、装填処理が停止する。無駄な処理が行われてしまうことが防止される。
【００１５】
また、装填処理を行おうとしたときに、装填用の貨幣に新券と流通券とが混在していることは、ほとんど起こらない。装填処理の開始から所定数の貨幣に基づいて判定を行えば、装置への誤装填を防止することができる。
【００１６】
前記制御部は、前記装填処理を停止した場合に、前記装填処理を中止するか、又は、継続するかを指示する操作者の操作を受け付ける、としてもよい。
【００１７】
前述したように、新券を装置に装填する際に、操作者が官封束の帯を外して貨幣を受入部に入れたときには、読取部が逐次読み取る固有番号が連続するが、受入部に入れた貨幣が新券であっても、固有番号が連続しないことは起こり得る。また、流通券は、固有番号が連続しないが、固有番号が連続する新券を、流通券の扱いにして装置に装填しようとすることもあり得る。
【００１８】
そこで、読取部が逐次読み取った固有番号の並びが、記憶部が記憶している番号体系に一致しないとして装填処理を停止したときに、装填処理を中止するか、又は、継続するかを、操作者が決定してもよい。こうすることで、操作者は、誤装填であるか、又は、誤装填でないかを確認して、装填処理を中止、又は、継続することができる。貨幣処理装置の使い勝手が向上する。
【００１９】
前記貨幣処理装置は、前記読取部が固有番号を読み取った前記貨幣を収納する収納部を備え、前記制御部は、前記装填処理を中止する操作を受けたときに、前記収納部に既に収納している貨幣を回収する処理を行う、としてもよい。尚、この「収納部」は、前述したように、出金用に貨幣を収納する収納部であってもよいし、一時保留部であってもよい。
【００２０】
誤装填であったとして装填処理を中止したときに、収納部に既に収納している貨幣を回収する処理を行うことによって、貨幣処理装置は、装填処理を開始する前の状態に戻る。
【００２１】
前記制御部は、前記装填処理を継続する操作を受けた後は、番号体系に一致しないことを理由に前記装填処理を停止することは行わない、としてもよい。
【００２２】
操作者が、誤装填ではないとして装填処理の継続を指示した後、貨幣処理装置は、装填処理を再開すればよい。装填処理の再開後は、操作者の指示に従って装填処理を停止せずに継続することにより、装填処理をスムースに完了することができる。
【００２３】
尚、「番号体系に一致しないことを理由に前記装填処理を停止することは行わない」ことには、（ａ）貨幣の固有番号の読み取りを行わず、かつ、固有番号の並びが、記憶部が記憶している番号体系に一致するか否かの判定もしないこと、（ｂ）貨幣の固有番号の読み取りを行っても、固有番号の並びが、記憶部が記憶している番号体系に一致するか否かを判定しないこと、（ｃ）貨幣の固有番号の読み取りを行うと共に、固有番号の並びが、記憶部が記憶している番号体系に一致しないと判定しても、装填処理を停止しないこと、が少なくとも含まれる。
【００２４】
前記番号体系は、固有番号が連続しかつ、新券に相当する第１番号体系と、固有番号が連続せずかつ、流通券に相当する第２番号体系と、を有し、前記貨幣処理装置は、装填用の前記貨幣を前記受入部に受け入れる際に、前記装置に優先して装填する前記貨幣の番号体系に係る情報を、操作者に通知する通知部を備えている、としてもよい。
【００２５】
つまり、第１番号体系を装置に優先して装填する場合、通知部は、第１番号体系を優先していることを通知する。「固有番号が連続している貨幣を優先して装填する」こと、又は、「新券を優先して装填する」ことを通知してもよい。一方、第２番号体系を装置に優先して装填する場合、通知部は、第２番号体系を優先していることを通知する。「固有番号が連続していない貨幣を優先して装填する」こと、又は、「流通券を優先して装填する」ことを通知してもよい。
【００２６】
尚、通知部は、例えばディスプレイ等に表示をするよう構成してもよいし、例えば音声案内等を出力するよう構成してもよい。
【００２７】
前記装置は、新券を出金するよう構成され、前記記憶部は、固有番号が連続する番号体系を記憶する、としてもよい。こうすることで、新券を出金する装置に、流通券が装填されることを防止することができる。
【００２８】
前記装置は、流通券を出金するよう構成され、前記記憶部は、固有番号が連続しない番号体系を記憶する、としてもよい。こうすることで、流通券を出金する装置に、新券が装填されることを防止することができる。
【００２９】
前記貨幣処理装置は、新券を収納する第１収納部と、流通券を収納する第２収納部と、を備え、前記記憶部は、前記第１収納部に装填する前記貨幣の番号体系として、固有番号が連続する番号体系を記憶すると共に、前記第２収納部に装填する前記貨幣の番号体系として、固有番号が連続しない番号体系を記憶する、としてもよい。尚、第１収納部は、出金用に貨幣を収納する収納部としてもよい。同様に、第２収納部は、出金用に貨幣を収納する収納部としてもよい。
【００３０】
こうすることで、新券を収納する第１収納部に、流通券が装填されることを防止することができると共に、流通券を収納する第２収納部に、新券が、誤って装填されることを防止することができる。
【００３１】
尚、貨幣処理装置は、少なくとも収納部を備えかつ、その収納部に貨幣の装填処理を行う装置の本体部と、装填処理の停止等の指示を行う装置の制御部とを、別体にすることにより、いわば、複数の装置によって構成される貨幣処理システムとしてもよい。
【発明の効果】
【００３２】
以上説明したように、前記の貨幣処理装置によると、誤装填を防止することができる。
【図面の簡単な説明】
【００３３】
【図１】図１は、貨幣処理装置の全体構成を例示する斜視図である。
【図２】図２は、紙幣処理機の内部構成を例示する図である。
【図３】図３は、有価媒体処理機の内部構成を例示する図である。
【図４】図４は、貨幣処理装置の構成例を示すブロック図である。
【図５】図５は、紙幣処理機の装填処理時の紙幣の搬送方向を示す説明図である。
【図６】図６は、有価媒体処理機の装填処理時の紙幣の搬送方向を示す説明図である。
【図７】図７は、貨幣処理装置における装填処理の制御手順を例示するフローチャートである。
【図８】図８は、紙幣処理機の装填処理時に表示される画面の遷移例の一部である。
【図９】図９は、紙幣処理機の装填処理時に表示される画面の遷移例の一部である。
【図１０】図１０は、紙幣処理機の装填処理時に表示される画面の遷移例の一部である。
【発明を実施するための形態】
【００３４】
以下、貨幣処理装置の実施形態を図面に基づいて詳細に説明する。以下の説明は、貨幣処理装置の一例である。図１は、貨幣処理装置の構成例を示している。貨幣処理装置１は、例えば銀行等の金融機関における出納機として、金融機関の店舗等に設置されている。尚、貨幣処理装置１は、金融機関の出納機として構成されることに限定されない。
【００３５】
（貨幣処理装置の構成）
図１は貨幣処理装置１の外観を示している。貨幣処理装置１は、紙幣処理機１０、有価媒体処理機１００及び硬貨処理機１１０が左右に並ぶよう配置されることにより構成されている。この構成例では、有価媒体処理機１００は、紙幣処理機１０と硬貨処理機１１０との間に位置している。紙幣処理機１０、有価媒体処理機１００、及び硬貨処理機１１０の並び順には、特に制限はない。
【００３６】
紙幣処理機１０は、バラ紙幣の入出金処理を実行可能である。また、紙幣処理機１０は、帯封紙幣（紙幣束ともいう）の作成や、帯封紙幣の出金処理を実行可能である。帯封紙幣は、所定枚数（例えば１００枚）のバラ紙幣から作成される。紙幣処理機１０が扱うバラ紙幣は、新券ではない流通券が主体となる。
【００３７】
硬貨処理機１１０は、バラ硬貨の入出金処理を実行可能である。硬貨処理機１１０はまた、包装硬貨の作成や、包装硬貨の出金処理を実行可能である。包装硬貨は、所定枚数（例えば５０枚）のバラ硬貨に紙やフィルム等の包装媒体を巻くことによって作成される。
【００３８】
有価媒体処理機１００は、バラ状態の新券を、金種別に収納すると共に、操作者の操作に応じて、指定された金種の新券を、指定された枚数だけ出金するよう構成されている。有価媒体処理機１００は、新券出金機である。
【００３９】
操作表示部３０２は、例えば硬貨処理機１１０の筐体１１４の上部に設けられたタッチパネル等からなる。操作表示部３０２は、貨幣処理装置１における紙幣や硬貨の処理状況や、貨幣処理装置１に収納されている紙幣や硬貨の在高等の情報を表示する。また、操作者はこの操作表示部３０２を介して、様々な操作を行うことができる。後述するように、操作表示部３０２は、装填処理を行うときに、各種の通知画面を表示すると共に、誤った紙幣を装置に装填しようとする誤装填、又は、誤装填の可能性があるときには、その旨を報知する報知画面を表示する。操作表示部３０２は、報知部及び通知部の一例である。
【００４０】
印字部３０４は、貨幣処理装置１における紙幣や硬貨の処理状況や、貨幣処理装置１に収納されている紙幣や硬貨の在高等の情報をレシート等に印刷するプリンタ等から構成されている。また、印字部３０４は、後述するように、装填処理を行ったときに、当該装填処理に関する伝票の印字を行う。
【００４１】
以下、紙幣処理機１０、及び、有価媒体処理機１００の構成について、図面を参照しながら説明をする。尚、硬貨処理機１１０の構成に関しては、その詳細な説明を省略する。
【００４２】
（紙幣処理機の構成）
図２は紙幣処理機１０の内部構成を概略的に示す構成図である。図２において、左側が紙幣処理機１０の前面側であり、左右方向が紙幣処理機１０の奥行き方向である。図１及び図２を用いて、紙幣処理機１０の構成について説明する。
【００４３】
図１及び図２に示すように、紙幣処理機１０は略直方体形状の筐体１２を有しており、この筐体１２の前面には、バラ紙幣を入金するための投入部１４、バラ紙幣を出金するためのバラ紙幣投出部２４、及び、帯封紙幣を出金するための帯封紙幣投出部４８がそれぞれ設けられている。投入部１４の前面は筐体１２の外部に開口しており、操作者は投入部１４の内部にバラ紙幣の束を投入することができる。後述するように、紙幣処理機１０にバラ紙幣を装填するときに、装填用のバラ紙幣（つまり流通券）は、投入部１４に投入される場合がある。投入部１４は、受入部の一例である。
【００４４】
バラ紙幣投出部２４及び帯封紙幣投出部４８にはそれぞれシャッター２４ａ，４８ａが設けられている。シャッター２４ａ，４８ａは後述するシャッター駆動部２４ｂ，４８ｂ（図４参照）によりそれぞれ駆動される。シャッター２４ａ，４８ａによりバラ紙幣投出部２４や帯封紙幣投出部４８が開口されると、操作者はバラ紙幣投出部２４に集積されているバラ紙幣や帯封紙幣投出部４８に集積されている帯封紙幣を取り出すことができる。なお、バラ紙幣投出部２４は、バラ紙幣の出金処理における出金部として機能するとともに、入金処理時において識別できなかったバラ紙幣や正常ではないと識別されたバラ紙幣を排出するための入金リジェクト部としても機能する。
【００４５】
また、バラ紙幣投出部２４の下方には、バラ紙幣の出金処理において、バラ紙幣投出部２４から出金すべきではないと判断されたバラ紙幣が集積される出金リジェクト部２６が設けられている。通常、出金リジェクト部２６の前カバーが閉鎖されており、出金リジェクト部２６の内部にアクセスすることができない。所定の権限を有する操作者が操作することによって前カバーが開放され、内部の出金リジェクト紙幣を回収可能となる。
【００４６】
図２に示すように、投入部１４には、投入されたバラ紙幣を１枚ずつ繰り出すための繰出部１６が設けられている。繰出部１６により投入部１４から繰り出されたバラ紙幣は、搬送部１８により筐体１２内で搬送される。搬送部１８には識別部２０が設けられており、搬送部１８により搬送されるバラ紙幣は識別部２０によりその金種、真偽、表裏、正損、新旧、搬送状態等が識別される。識別部２０はまた、紙幣の固有番号である記番号を、逐次読み取る。識別部２０は、読取部の一例である。尚、識別部２０とは別に、紙幣の記番号を読み取る読取部を搬送部１８に設けてもよい。また、搬送部１８には表裏反転部２２が設けられており、識別部２０により識別されたバラ紙幣は表裏反転部２２によりその表裏が揃うように反転させられる。
【００４７】
搬送部１８には、入金一時保留部３０、混合バラ紙幣収納部３２及び複数（図２では３つ）の金種別バラ紙幣収納部３４がそれぞれ接続されている。入金一時保留部３０、混合バラ紙幣収納部３２及び各金種別バラ紙幣収納部３４にはそれぞれ、上下方向に移動可能となっているステージ３０ａ，３２ａ，３４ａが設けられており、ステージ３０ａ，３２ａ，３４ａ上でバラ紙幣が積層状態で集積される。ここで、混合バラ紙幣収納部３２には、各金種別バラ紙幣収納部３４に割り当てられていない金種のバラ紙幣や損券、オーバーフロー紙幣等が混合状態で収納される。また、各金種別バラ紙幣収納部３４には、それぞれ予め設定された特定の金種のバラ紙幣が収納される。
【００４８】
入金一時保留部３０の上端部の近傍には紙幣繰出部３０ｂが設けられており、バラ紙幣は紙幣繰出部３０ｂにより、入金一時保留部３０から１枚ずつ搬送部１８に繰り出され、また、搬送部１８から入金一時保留部３０に１枚ずつ繰り入れられる。また、混合バラ紙幣収納部３２の上端部の近傍には紙幣繰入部３２ｂが設けられており、バラ紙幣は紙幣繰入部３２ｂにより、搬送部１８から混合バラ紙幣収納部３２に１枚ずつ繰り入れられる。なお、本実施形態では、混合バラ紙幣収納部３２に収納されているバラ紙幣は搬送部１８に繰り出せない。各金種別バラ紙幣収納部３４の上端部の近傍にはそれぞれ紙幣繰出部３４ｂが設けられており、バラ紙幣は紙幣繰出部３４ｂにより、各金種別バラ紙幣収納部３４から１枚ずつ搬送部１８に繰り出され、また、搬送部１８から各金種別バラ紙幣収納部３４に１枚ずつ繰り入れられる。バラ紙幣の出金処理が行われる際には、各金種別バラ紙幣収納部３４から繰り出されたバラ紙幣が搬送部１８により識別部２０に送られ、識別部２０により識別された後にバラ紙幣投出部２４に送られる。また、後述するように、バラ紙幣の装填処理が行われる際には、装填用の紙幣は、入金一時保留部３０に一時的に収納され、その後、入金一時保留部３０から繰り出された装填用の紙幣が、その金種に対応する金種別バラ紙幣収納部３４に収納される。
【００４９】
筐体１２の下部には下部扉１２ａが設けられており、操作者は、下部扉１２ａを開くことにより入金一時保留部３０の内部にアクセスできる。また、入金一時保留部３０、混合バラ紙幣収納部３２及び各金種別バラ紙幣収納部３４は、手前側に（図２における左方向に）引き出し可能となっている引出ユニット１３に収容されている。操作者は、下部扉１２ａを開いて引出ユニット１３を手前側に引き出し、混合バラ紙幣収納部３２や各金種別バラ紙幣収納部３４を引出ユニット１３から取り外したり、引出ユニット１３に装着したりできる。後述するように、装填処理を実行するときに誤装填が生じたときには、操作者が下部扉１２ａを開けて、入金一時保留部３０に収納された紙幣を、手で取り出す場合がある。
【００５０】
また、搬送部１８には複数（図２では２つ）の集積部４０が接続されており、搬送部１８から送られたバラ紙幣は、集積部４０に積層状態で集積される。集積部４０には、集積されているバラ紙幣を搬送部１８に１枚ずつ繰り出す繰出部が設けられていてもよい。また、所定枚数（例えば１００枚）のバラ紙幣からなる紙幣束に帯封紙を巻くことにより帯封紙幣を作成する帯封部４２が、集積部４０の隣に設けられている。帯封部４２の近傍にはアーム機構４４が設けられている。アーム機構４４は、集積部４０、帯封部４２及び帯封紙幣揚送部４６の間で移動可能となっている。帯封紙幣揚送部４６には、図２における上下方向に移動可能となっているステージ４６ａが設けられている。
【００５１】
帯封処理が行われる際に、アーム機構４４は、集積部４０に集積された所定枚数のバラ紙幣を上下一対のアーム部により保持して、帯封部４２に移動する。帯封部４２において、アーム機構４４に保持された所定枚数のバラ紙幣の外周面に帯封紙が巻かれ、帯封紙幣が生成される。帯封処理が行われた後、アーム機構４４は帯封部４２から帯封紙幣揚送部４６に移動して、ステージ４６ａ上に帯封紙幣を受け渡す。このような動作を繰り返すことにより、複数の帯封紙幣を帯封紙幣揚送部４６のステージ４６ａ上に集積させる。
【００５２】
そして、アーム機構４４からステージ４６ａ上に１または複数の帯封紙幣が受け渡された後、ステージ４６ａが上方向に移動して帯封紙幣投出部４８の下端と同じレベルに達する。この状態でシャッター４８ａが開くと、操作者は帯封紙幣投出部４８の内部にアクセスしてステージ４６ａ上に集積されている帯封紙幣を取り出すことができる。また、ステージ４６ａがさらに上昇すると、ステージ４６ａ上に集積されている帯封紙幣を後述する帯封紙幣搬送部６０に受け渡す、又は、後述する帯封紙幣収納部７０内の帯封紙幣を帯封紙幣搬送部６０から受け取ってステージ４６ａ上に集積させることができる。
【００５３】
筐体１２の内部における上部領域には、複数（図２では４つ）の帯封紙幣収納部７０が設けられている。各帯封紙幣収納部７０の内部にはそれぞれ、上下方向に移動可能であるステージ７０ａが設けられている。帯封部４２により作成された帯封紙幣は、帯封紙幣収納部７０の上端部に設けられた開口からステージ７０ａ上に積層状態で集積される。各帯封紙幣収納部７０から帯封紙幣を出す場合には、ステージ７０ａが上昇して、各帯封紙幣収納部７０の開口から帯封紙幣が上方に出される。各帯封紙幣収納部７０には、それぞれ予め設定された特定の金種の帯封紙幣が収納される。ただし、複数の帯封紙幣収納部７０のうち少なくとも１つは、金種が異なる帯封紙幣を混合状態で収納するようにしてもよい。
【００５４】
各帯封紙幣収納部７０の上方には、帯封紙幣の搬送を行う帯封紙幣搬送部６０が設けられている。帯封紙幣搬送部６０は、複数の突起６０ａが等間隔で設けられた循環ベルト６０ｂを有しており、この循環ベルト６０ｂは図２における時計回りの方向及び反時計回りの方向の両方向に循環移動可能である。帯封紙幣搬送部６０によって搬送される帯封紙幣は、循環ベルト６０ｂの下面に沿って突起６０ａにより引っ掛けられた状態で左右いずれかの方向に移動する。また、帯封紙幣揚送部４６の上端と帯封紙幣収納部７０との間に識別部６２が設けられている。識別部６２は、搬送される帯封紙幣の金種を、例えばその最下面の紙幣の撮像画像から識別する。識別部６２はまた、帯封紙幣の紙幣や結束帯の状態、例えば破れや汚れの有無等を識別する。なお、図２の構成では識別部６２は搬送路の下側に設けているが、例えば搬送路の上側に設けてもよいし、搬送路の上下に設けてもよい。搬送路の上側に設けた場合には、識別部６２は、搬送される帯封紙幣の金種をその最上面の紙幣の撮像画像から識別する。
【００５５】
（有価媒体処理機の構成）
図３は有価媒体処理機１００の内部の概略構成を示している。図３において、左側が有価媒体処理機１００の前面側であり、左右方向が有価媒体処理機１００の奥行き方向である。図１及び図３を用いて、有価媒体処理機１００の構成について説明する。
【００５６】
有価媒体処理機１００は、縦長の箱状の筐体１１を備えている。筐体１１内には、複数の収納部８０と、装填部８１と、出金部８２と、一時保留部８３と、搬送部８４と、判別部８５とが設けられている。
【００５７】
収納部８０は、この構成例では、第1〜第４の四つの収納部８０を含む。以下の説明において、第１〜第４収納部８０を区別するときには、第１収納部８０−１、第２収納部８０−２、第３収納部８０−３、及び第４収納部８０−４の符号を付し、これら四つの収納部を区別しないときには、収納部８０の符号を付す。
【００５８】
第１〜第４収納部８０−１〜８０−４は、筐体１１内の前部の下側において、上下方向に並べて配置されている。例えば、第１〜第３収納部８０−１〜８０−３には、それぞれ新券が金種毎（例えば、一万円札が第１収納部８０−１に、千円札が第２収納部８０−２に、５千円札が第３収納部８０−３）に収容される。また、第４収納部８０−４は、選択的に使用される収納部である。第４収納部８０−４は、第１〜第３収納部８０−１〜８０−３のうちいずれか１つと同じ金種の新券を収容することになる。
【００５９】
第１〜第４収納部８０−１〜８０−４は、互いに同じ構成である。収納部８０は、集積機構部８０ａと、繰出機構部８０ｂとを備えている。集積機構部８０ａは、詳細な構成図は省略するが、新券を積層するためのステージと、ステージを昇降するリフト機構と、を有している。ステージは、新券の積層量に応じて昇降する。繰出機構部８０ｂは、詳細な構成図は省略するが、集積機構部８０ａに集積された新券を、上端から一枚ずつ、出入口を通じて収納部８０の外に繰り出すよう構成されている。繰出機構部８０ｂはまた、後述する搬送部８４が搬送する新券を一枚ずつ、出入口を通じて収納部８０の中に繰り入れるよう構成されている。
【００６０】
筐体１１の前板において、複数の収納部８０と対応する位置には、開口が形成され、その開口を塞ぐように板状の前カバー１１１が設けられている。複数の収納部８０は、図示しない内部ユニット内に収容されており、内部ユニットの前面に前カバー１１１が固定されている。内部ユニットは、前カバー１１１及び複数の収納部８０を含めて、一体的に前後方向にスライド移動が可能に構成されている。これにより、図示は省略するが、操作者は、内部ユニットを筐体１１の外側に引き出して、収納部８０に直接、手で、新券の装填（つまり、手装填）ができるようになっている。
【００６１】
装填部８１は、収納部８０に新券を装填するときに利用する。装填部８１は、操作者によって手で装填された新券を繰り出すよう構成され、装填部８１から繰り出された新券は、搬送部８４によって搬送され、各収納部８０に収納される。装填部８１を利用した装填処理の詳細は後述する。
【００６２】
装填部８１は、第１収納部８０−１の上側に配設されている。第１収納部８０−１の上側は、矩形箱状の収容空間１１３に区画されており、その前側には開口が形成されている。開口を塞ぐように板状の前カバー１１２が設けられており、図示しないが前カバー１１２と装填部８１とは一体的に連結されている。図３に二点鎖線で示すように、装填部８１は、この収容空間１１３内に前後方向へのスライド移動が可能に収容されている。操作者が前カバー１１２を、筐体１１から前方へと引き出すと、装填部８１が筐体１１の外に引き出される。装填部８１と、収納部８０とは、互いに独立して、筐体１１から前方に引き出すことが可能である。装填部８１を筐体１１の外に引き出した状態で、操作者は、装填部８１に新券を装填することができる。
【００６３】
装填部８１は、集積機構部８１ａと、繰出機構部８１ｂとを備えている。装填部８１の集積機構部８１ａ、及び、繰出機構部８１ｂは、前述した収納部８０の集積機構部８０ａ、及び、繰出機構部８０ｂと、ほぼ同じ構成である。
【００６４】
出金部８２は、筐体１１内の前方上側の隅角部に設けられており、搬送部によって搬送された出金対象の新券を集積するよう構成されている。出金部８２は、筐体１１の上端部における前板に矩形状に貫通形成された出金口８２ｂを有し、出金部８２に集積された新券は、出金口８２ｂを通じて、筐体１１の外に払い出される。
【００６５】
一時保留部８３は、筐体１１内において、後方上側に配置されている。一時保留部８３は、いわゆるテープリール式であり、新券をドラム８３ｃに巻き取る巻取り機構を備えている。巻取り機構は、例えば二つのテープの間に紙幣を挟んだ状態で、テープをドラム８３ｃに巻き取ることにより新券を収納するよう構成されている。巻取り機構はまた、ドラム８３ｃが逆方向に回転することによって、ドラム８３ｃに巻き取られていた新券を、一時保留部８３から外に繰り出すよう構成されている。尚、巻取り機構の構成は、特定の構成に限定されるものではない。
【００６６】
搬送部８４には、第１〜第４収納部８０−１〜８０−４、装填部８１、出金部８２、及び一時保留部８３がそれぞれ接続されている。搬送部８４は、ローラ及び無端状のベルトを有しており、新券を双方向へ搬送することが可能になっている。
【００６７】
判別部８５は、搬送部８４における新券の搬送方向について、装填部８１と一時保留部８３との間に配設されている。判別部８５は、通過する新券の金種を判別すると共に、計数を行う。判別部８５はまた、通過する新券の記番号を逐次読み取る。判別部８５は、読取部の一例である。尚、判別部８５とは別に、紙幣の記番号を読み取る読取部を搬送部８４に設けてもよい。
【００６８】
（貨幣処理装置の機能構成）
図４は貨幣処理装置１の機能構成の概略を示すブロック図である。図４に示すように、貨幣処理装置１には、各構成要素の制御を行う制御部３００が設けられている。制御部３００には、紙幣処理機１０の構成要素、具体的には、投入部１４、繰出部１６、搬送部１８、識別部２０、表裏反転部２２、入金一時保留部３０（ステージ３０ａの駆動機構や紙幣繰出部３０ｂ）、混合バラ紙幣収納部３２（ステージ３２ａの駆動機構や紙幣繰入部３２ｂ）、金種別バラ紙幣収納部３４（ステージ３４ａの駆動機構や紙幣繰出部３４ｂ）、帯封部４２、アーム機構４４、帯封紙幣揚送部４６、帯封紙幣搬送部６０、識別部６２、帯封紙幣収納部７０（ステージ７０ａの駆動機構）、シャッター２４ａ，４８ａを開閉させるシャッター駆動部２４ｂ，４８ｂ等がそれぞれ接続されている。そして、制御部３００は、識別部２０によるバラ紙幣の識別結果に係る情報や識別部６２による帯封紙幣の金種の判別結果に係る情報等を受け、また、紙幣処理機１０の各構成要素に指令信号を送ることによりその動作を制御する。
【００６９】
また、制御部３００には、有価媒体処理機１００の各構成要素が接続されている。具体的には、第１〜第４の収納部８０−１〜８０−４、装填部８１、出金部８２、一時保留部８３、搬送部８４、及び、判別部８５がそれぞれ接続されている。制御部３００は、これらの各構成要素からの信号を受けると共に、各構成要素に信号を送ることによりその動作を制御する。
【００７０】
さらに、制御部３００には、硬貨処理機１１０の各構成要素が接続されており、硬貨処理機１１０の動作を制御する。さらに、制御部３００には、操作表示部３０２、印字部３０４、記憶部３１０及び通信インターフェース部３０６がそれぞれ接続されている。
【００７１】
記憶部３１０は、貨幣処理装置１における処理履歴や、貨幣処理装置１に収納されている紙幣や硬貨の在高等の情報を記憶する。また、記憶部３１０は、後述する装填処理時に用いる情報、つまり、紙幣処理機１０が優先して装填を行う紙幣の番号体系と、有価媒体処理機１００が優先して装填を行う紙幣の番号体系と、を記憶している。
【００７２】
また、制御部３００は、通信インターフェース部３０６を介して、上位端末である管理コンピュータ４００に対して様々な信号の送受信を行うことができる。貨幣処理装置１と管理コンピュータ４００とによって、貨幣処理システムが構成される。
【００７３】
（流通券の装填）
次に、紙幣処理機１０の金種別バラ紙幣収納部３４に紙幣（つまり、新券ではない流通券）を装填する装填処理について説明する。紙幣処理機１０の装填処理において、操作者は、装填用のバラ紙幣を、投入部１４に投入する。制御部３００は、投入部１４の繰出部１６を駆動し、投入部１４からバラ紙幣の繰り出しを開始する。投入部１４から繰り出されたバラ紙幣は、図５のＰ５１に白抜きの矢印で示すように、搬送部１８により、入金一時保留部３０に搬送され、入金一時保留部３０に一時的に収納される。この搬送時にバラ紙幣は、識別部２０を一枚ずつ通過するため、制御部３００は、識別部２０から、バラ紙幣の識別情報及び計数情報を取得する。識別部２０はまた、紙幣の記番号を読み取り、識別部２０は、記番号の情報も制御部３００に送る。
【００７４】
尚、制御部３００は、バラ紙幣にリジェクト紙幣（例えば、汚損紙幣等）が含まれていた場合には、当該リジェクト紙幣を、入金一時保留部３０に送らずにバラ紙幣投出部２４に送り、操作者に返却する。
【００７５】
投入部１４から入金一時保留部３０へのバラ紙幣の搬送が全て完了するか、入金一時保留部３０が満量になれば、制御部３００は、操作表示部３０２に確認画面を表示させる。例えば、入金一時保留部３０に一時保留されているバラ紙幣の金種及び枚数と、装填先の金種別バラ紙幣収納部３４の空き状況を操作表示部３０２に表示させ、金種別バラ紙幣収納部３４への収納処理を実施してよいか、操作者の承認を受けてもよい。
【００７６】
制御部３００は、操作表示部３０２への承認操作がされた後、入金一時保留部３０を制御して、一時保留しているバラ紙幣を、金種別バラ紙幣収納部３４へ収納する。具体的には図５のＰ５２に白抜きの矢印で示すように、入金一時保留部３０から送り出された新券は、搬送部１８により、識別部２０を通過した後、対応する金種別バラ紙幣収納部３４に送り込まれ、収納される。
【００７７】
（新券の装填）
次に、有価媒体処理機１００の収納部８０に新券を装填する装填処理について説明する。まずは、装填される新券を計数しながら装填する「計数装填処理」について説明する。有価媒体処理機１００の装填処理においては、操作者は先ず、装填する金種及び装填枚数を入力する。具体的に、制御部３００は、操作表示部３０２を介して操作者に金種の入力、及び、枚数の入力を促す。その際に、制御部３００は、金種毎の装填可能枚数を操作表示部３０２に表示するようにしてもよい。
【００７８】
操作者による金種及び枚数の確定操作がされた後、制御部３００は、例えば、操作表示部３０２に装填部８１への新券の装填に関する案内画面を表示する。制御部３００はまた、装填部８１をロックするロック機構（図示省略）を解除する。これにより、操作者は、装填部８１を、筐体１１から前方に引き出すことができる。
【００７９】
操作者は、引き出した装填部８１に、選択した金種の新券を装填し終わった後に、装填部８１を後側に押して装着位置まで移動させる。新券が装填された装填部８１が装着位置に移動すれば、制御部３００は、装填部８１の繰出機構部８１ｂを駆動し、装填部８１からの新券の繰り出しを開始する。装填部８１から繰り出された新券は、図６のＰ６１に白抜きの矢印で示すように、搬送部８４によって、一時保留部８３に搬送され、一時保留部８３に一時的に収納される。この搬送時に新券は、判別部８５を一枚ずつ通過するため、制御部３００は、判別部８５から通過する新券の判別情報及び計数情報、並びに、記番号の情報を取得する。尚、制御部３００は、新券にリジェクト紙幣（例えば、汚損紙幣や金種の異なる紙幣等）が含まれていた場合には、当該リジェクト紙幣を、一時保留部８３に送らずに出金部８２に送り、出金口８２ｂから操作者に返却するようにしてもよい。
【００８０】
装填部８１から一時保留部８３への新券の搬送が全て完了すれば、制御部３００は、操作表示部３０２に確認画面を表示させる。例えば、一時保留部８３に一時保留されている新券の金種及び枚数と、装填先の収納部８０の空き状況を操作表示部３０２に表示させ、収納部８０への収納処理を実施してよいか、操作者の承認を受ける。
【００８１】
制御部３００は、操作表示部３０２への承認操作がされた後、一時保留部８３を制御して、一時保留されている新券の収納部８０への収納を開始する。一時保留部８３から送り出された新券は、図６のＰ６２に白抜きの矢印で示すように、搬送部８４によって、対応する収納部８０に送り込まれ、収納される。
【００８２】
尚、有価媒体処理機１００においては、前述した計数装填処理の他に、操作者が各収納部８０に新券を手で装填することが可能に構成されている。この装填処理は、前述した装填処理に対して、「手装填処理」と呼ばれる。操作者が「手装填処理」を選択した場合、制御部３００は、前カバー１１１のロックを解除する。操作者は、内部ユニットを前カバー１１１ごと引出位置まで引き出し、装填対象の金種に応じた収納部８０に手で新券を装填する。操作者が収納部８０に新券を装填した後に、前カバー１１１を押して内部ユニットを装填位置まで押し込むと、制御部３００は前カバー１１１のロック機構を作動させ、前カバー１１１がロックされる。これにより、装填作業は完了し、有価媒体処理機１００は待機状態となる。
【００８３】
（装填処理時の誤装填を防止する制御）
貨幣処理装置１は、紙幣処理機１０と、有価媒体処理機１００とを備えている。紙幣処理機１０には、新券ではなく流通券を装填することが好ましい。有価媒体処理機１００には、流通券ではなく新券を装填しなければならない。紙幣処理機１０に、操作者が誤って新券を装填してしまうと、貨幣処理装置１が設置されている店舗の新券が不足してしまう事態が生じる恐れがある。逆に、有価媒体処理機１００に、操作者が誤って流通券を装填してしまうと、有価媒体処理機１００から新券を出金しようとしても、流通券が出金されてしまう事態となる。そこで、この貨幣処理装置１は、装填処理時に誤装填を防止する制御を行う。
【００８４】
有価媒体処理機１００に新券を装填するときに、操作者は、官封券の帯を外した新券を装填部８１に装填する場合が多い。官封券は記番号が連続した紙幣によって構成されている。よって、有価媒体処理機１００の装填処理時に、装填部８１に装填される紙幣は、記番号が連続して並んでいることが多い。有価媒体処理機１００の装填処理時に、判別部８５が逐次読み取った紙幣の記番号の並びが連続していると、新券を装填していると判断することが可能である。逆に、有価媒体処理機１００の装填処理時に、判別部８５が逐次読み取った紙幣の記番号の並びが連続していないと、新券を装填していない可能性があると判断することが可能である。
【００８５】
同様に、紙幣処理機１０の装填処理時に、識別部２０が逐次読み取った紙幣の記番号の並びが連続していないと、流通券を装填していると判断することが可能である。逆に、紙幣処理機１０の装填処理時に、識別部２０が逐次読み取った紙幣の記番号の並びが連続していると、誤って新券を装填している可能性があると判断することが可能である。
【００８６】
貨幣処理装置１の記憶部３１０は、紙幣処理機１０に優先して装填する紙幣の番号体系と、有価媒体処理機１００に優先して装填する紙幣の番号体系とを記憶している。「紙幣の番号体系」とは、紙幣の記番号の並びに関する番号体系である。有価媒体処理機１００に優先して装填する紙幣の番号体系は、記番号が連続する番号体系（つまり、第１番号体系）である。これに対し、紙幣処理機１０に優先して装填する紙幣の番号体系は、記番号が連続しない番号体系（つまり、第２番号体系）である。
【００８７】
貨幣処理装置１の制御部３００は、装填処理を開始してから所定枚数の紙幣について、紙幣処理機１０の識別部２０、又は、有価媒体処理機１００の判別部８５が逐次読み取った記番号の並びが、連続しているか否かを判断する。その判断結果が、記憶部３１０が記憶している番号体系に一致するときには、装填処理をそのまま継続する一方で、一致しないときには、装填処理を一旦、停止する。所定枚数は、適宜の枚数に設定すればよい。装填処理を開始してから、例えば１０枚の紙幣について、記番号の並びが、連続しているか否かを判断してもよい。所定枚数の情報は、記憶部３１０が記憶しておけばよい。
【００８８】
以下、装填処理時の誤装填を防止する制御について、図７のフローチャートと、図８〜１０の画面の構成例とを参照しながら、詳細に説明をする。図８〜１０の画面は、主に紙幣処理機１０の装填処理時に、操作表示部３０２に表示される画面の一例である。
【００８９】
図７のフローチャートは、装填処理時の誤装填を防止する制御に関し、貨幣処理装置１の制御部３００が実行する制御フローである。スタート後のステップＳ１において制御部３００は、操作者によって装填処理の実行が選択されたか否かを判定する。操作表示部３０２において操作者が所定の認証操作を行うと、操作表示部３０２は、図８のメニュー画面Ｄ８１を表示する。操作者がメニュー画面Ｄ８１において、「装填」を選択する操作を行うと、ステップＳ１の判定がＹＥＳになる。制御プロセスは、ステップＳ１からステップＳ２に進む。
【００９０】
ステップＳ２において、制御部３００は、操作者が選択をした装填貨幣を判断する。メニュー画面Ｄ８１において「装填」を選択する操作を行うと、操作表示部３０２は、装填する貨幣を選択する画面Ｄ８２を表示する。画面Ｄ８２は、「バラ紙幣、バラ硬貨部」「束紙幣部」「新券部」「包装硬貨部」の四つの選択肢ボタンを有している。紙幣処理機１０にバラ紙幣（つまり、流通券）を装填するとき、又は、硬貨処理機１１０にバラ硬貨を装填するときには、操作者は「バラ紙幣、バラ硬貨部」を選択する。紙幣処理機１０に帯封紙幣を装填するときには、操作者は「束紙幣部」を選択する。有価媒体処理機１００に新券を装填するときには操作者は「新券部」を選択する。硬貨処理機１１０に包装硬貨を装填するときには「包装硬貨部」を選択する。図７のフローのステップＳ２では、紙幣処理機１０に流通券を装填するか、有価媒体処理機１００に新券を装填するかの二つについてのみ、判断している。操作者が、紙幣処理機１０に流通券を装填することを選択したときには、制御プロセスは、ステップＳ２からステップＳ３に進む。一方、操作者が、有価媒体処理機１００に新券を装填することを選択したときは、制御プロセスは、ステップＳ２からステップＳ１２に進む。
【００９１】
図８の画面Ｄ８３は、画面Ｄ８２において「バラ紙幣、バラ硬貨部」が選択されたときに、操作表示部３０２が表示する画面を示している。画面Ｄ８３は、装填する紙幣（又は硬貨）の装填方法を選択する画面である。ここでは、紙幣処理機１０の投入部１４に装填用の紙幣を投入するとして、以下の説明を進める。この場合、操作者は、画面Ｄ８３において「入金口装填」の選択肢ボタンを選択する。
【００９２】
画面Ｄ８３において「入金口装填」の選択肢ボタンが選択されると、操作表示部３０２は、図９の画面Ｄ９１を表示する。画面Ｄ９１は、バラ紙幣又はバラ硬貨の投入を案内する画面である。バラ紙幣は前述したように投入部１４に投入するよう案内される。また、バラ硬貨は硬貨処理機１１０の投入部に投入するよう案内される。
【００９３】
図示は省略するが、この画面Ｄ９１において、紙幣処理機１０が優先して装填する紙幣は流通券である旨を、表示してもよい。こうすることで、操作者は、誤装填を未然に防止することができる。
【００９４】
図７のステップＳ３において、制御部３００は、紙幣処理機１０の投入部１４に装填用の紙幣が投入されたか否かを判断する。紙幣が投入されると、制御プロセスは、ステップＳ３からステップＳ４に進む。
【００９５】
ステップＳ４において、制御部３００は、投入部１４に対し、投入された紙幣を一枚一枚繰り出させると共に、識別部２０に対し、紙幣の記番号を逐次読み取らせる。そして、搬送部１８に対し、記番号を読み取った紙幣を入金一時保留部３０に搬送させ、入金一時保留部３０に対し、紙幣を収納させる（図５のＰ５１参照）。
【００９６】
装填処理の開始から所定枚数分の紙幣の記番号を読み取ったときに、制御部３００は、ステップＳ５において、識別部２０が読み取った記番号の並びが、連続しているか否かを判定する。
【００９７】
ステップＳ５の判定において、識別部２０が読み取った記番号の並びが、連続しているとき（つまり、ＹＥＳのとき）には、制御プロセスは、ステップＳ５からステップＳ６に進む。識別部２０が読み取った記番号の並びが連続しているときは、紙幣は、官封券の帯を外した新券である可能性がある。つまり、紙幣処理機１０に、操作者が誤って、新券を装填しようとしている可能性がある。
【００９８】
一方、ステップＳ５の判定において、識別部２０が読み取った記番号の並びが、連続していないとき（つまり、ＮＯのとき）には、制御プロセスは、ステップＳ５からステップＳ１０に進む。識別部２０が読み取った記番号の並びが連続していないときは、紙幣は、流通券と判断することができる。よって、ステップＳ１０において制御部３００は、装填処理を継続する。投入部１４は紙幣の繰り出しを継続し、識別部２０は紙幣の識別を継続する。識別部２０が識別を行った紙幣は、入金一時保留部３０に収納される。そして、投入部１４に投入された紙幣が全て入金一時保留部３０に収納されるか、又は、入金一時保留部３０が満量になった場合に、操作者による承認操作を受けて、図５のＰ５２に示すように、入金一時保留部３０内の紙幣を繰り出して、金種別バラ紙幣収納部３４に装填用の紙幣を収納する。
【００９９】
装填用の紙幣が金種別バラ紙幣収納部３４に収納されると、操作表示部３０２は、図９の画面Ｄ９２を表示する。画面Ｄ９２は、装填処理における計数明細を示す画面である。操作者は画面Ｄ９２の計数明細を見て問題がなければ、画面Ｄ９２の右下の「完了」ボタンを選択操作する。
【０１００】
その後、操作表示部３０２は、画面Ｄ９３を表示する。画面Ｄ９３は、印字部３０４によって伝票の印字を操作者に促す画面である。操作者は、画面Ｄ９３の案内に従って、伝票用紙を印字部３０４にセットすれば、印字部３０４は伝票の印字を行う。伝票の印字が完了することによって、紙幣処理機１０の装填処理が完了する。
【０１０１】
これに対し、誤装填又は誤装填の可能性があるとして移行したステップＳ６において、制御部３００は、装填処理を停止する。操作表示部３０２は、図１０の画面Ｄ１０１を表示する。画面Ｄ１０１は、操作者に、紙幣処理機１０に、誤って、新券を装填しようとしている可能性がある旨を報知する画面である。この報知画面Ｄ１０１を操作表示部３０２に表示することにより。操作者は、誤装填又は誤装填の可能性があることを認識することができる。
【０１０２】
報知画面Ｄ１０１は、装填処理を中止するか、装填処理を継続するか、を選択するボタンを有している。操作者は、装填処理を中止するか、装填処理を継続するか、を選択することができる。
【０１０３】
例えば、操作者が、官封券の帯を外した新券を、紙幣処理機１０に意図して装填しようとしている場合もあり得る。識別部２０が逐次読み取った記番号の並びによって、自動的に装填処理を中止するのではなく、操作者が装填処理の中止と継続とを選択することができるため、貨幣処理装置１の使い勝手を向上させることができる。
【０１０４】
操作者が画面Ｄ１０１において、装填処理の中止又は継続を選択すれば、ステップＳ７において制御部３００は、装填処理の中止が選択されたか否かを判定する。装填処理の中止が選択されたときには、制御プロセスはステップＳ８に進む。一方、装填処理の継続が選択されたときには、制御プロセスはステップＳ１０に進む。この場合、操作者が、意図的に、新券を紙幣処理機１０に装填しようとしている。誤装填ではないため、制御部３００は、ステップＳ１０において装填処理を継続（つまり、再開）し、ステップＳ１１において入金一時保留部３０内の、装填用の紙幣を、金種別バラ紙幣収納部３４に収納し、装填処理が完了する（図９のＤ９２及びＤ９３参照）。
【０１０５】
これに対し、ステップＳ８において制御部３００は、装填処理を中止する。この場合、装填処理を開始してから、少なくとも所定枚数分の紙幣が、入金一時保留部３０に収納されている。また、投入部１４にも装填用として投入された紙幣が残っている場合がある。そこで、ステップＳ９において制御部３００は、操作者に一時保留部の紙幣、及び、投入部１４の紙幣の取り出しを促す。投入部１４は、紙幣処理機１０の外部に露出しているから、操作者は、投入部１４の紙幣を手で取り除くことができる（図５のＰ５３の白抜きの矢印を参照）。一方、入金一時保留部３０は、紙幣処理機１０の内部に収容されている。そこで、制御部３００は、下部扉１２ａのロックを解除すると共に、操作表示部３０２は、図１０の画面Ｄ１０２を表示する。画面Ｄ１０２は、操作者に、下部扉１２ａを開けて入金一時保留部３０内の紙幣を取り出すことを図によって示している。この案内画面Ｄ１０２に従って、操作者は、入金一時保留部３０内の紙幣を取り出すことができる（図５のＰ５３の白抜きの矢印を参照）。紙幣処理機１０は、装填処理を開始する前の状態に戻る。
【０１０６】
以上のステップＳ３〜ステップＳ１１は、紙幣処理機１０における装填処理に係る。これに対しステップＳ１２〜ステップＳ２０は、有価媒体処理機１００における装填処理に係る。
【０１０７】
先ずステップＳ１２において、制御部３００は、有価媒体処理機１００の装填部８１に装填用の紙幣が装填されたか否かを判断する。紙幣が装填されると、制御プロセスは、ステップＳ１２からステップＳ１３に進む。ステップＳ１３の前に、操作表示部３０２は、装填用の新券の投入を案内する画面を表示する。案内画面は、図９の画面Ｄ９１に準ずる（但し、投入対象となる装置の構成が異なるため、イラストは異なる）。この案内画面において、有価媒体処理機１００が優先して装填する紙幣は新券である旨を、表示してもよい。こうすることで、操作者は、誤装填を未然に防止することができる。また、有価媒体処理機１００に新券を装填するときには、前述したように、操作表示部３０２は、装填する新券の金種と枚数とを入力する画面を表示する。
【０１０８】
ステップＳ１３において、制御部３００は、装填部８１に対し、装填された紙幣を一枚一枚繰り出させると共に、判別部８５に対し、紙幣の記番号を逐次読み取らせる。そして、搬送部８４に対し、記番号を読み取った紙幣を一時保留部８３に搬送させ、一時保留部８３に対し、紙幣を収納させる（図６のＰ６１参照）。
【０１０９】
装填処理の開始から所定枚数分（例えば１０枚）の紙幣の記番号を読み取ったときに、制御部３００は、ステップＳ１４において、判別部８５が読み取った記番号の並びが、連続しているか否かを判定する。
【０１１０】
ステップＳ１４の判定において、判別部８５が読み取った記番号の並びが、連続しているとき（つまり、ＹＥＳのとき）には、制御プロセスは、ステップＳ１４からステップＳ１９に進む。判別部８５が読み取った記番号の並びが連続しているときは、紙幣は、官封券の帯を外した新券であると判断することができる。ステップＳ１９において制御部３００は、装填処理を継続する。つまり、装填部８１は紙幣の繰り出しを継続し、判別部８５は紙幣の判別を継続する。判別部８５が判別を行った紙幣は、一時保留部８３に収納される。そして、装填部８１に投入された紙幣が全て一時保留部８３に収納されると、操作者による承認操作を受けて、図６のＰ６２に示すように、一時保留部８３内の紙幣を繰り出して、収納部８０に装填用の新券を収納する。
【０１１１】
その後、図示は省略するが、操作表示部３０２は、図９の画面Ｄ９２と同様の、装填処理における計数明細を示す画面を表示する。操作者が、当該画面において所定の操作を行うと、図示は省略するが、操作表示部３０２は、図９の画面Ｄ９３と同様の、伝票印字の案内画面を表示する。伝票の印字が完了することによって、有価媒体処理機１００の装填処理が完了する。
【０１１２】
一方、ステップＳ１４の判定において、判別部８５が読み取った記番号の並びが、連続していないとき（つまり、ＮＯのとき）には、有価媒体処理機１００に、操作者が誤って、流通券を装填しようとしている可能性が有る。
【０１１３】
制御プロセスは、ステップＳ１４からステップＳ１５に進む。ステップＳ１５において制御部３００は、図示は省略するが、装填処理を停止する。操作表示部３０２は、図１０の画面Ｄ１０１に準ずる画面を表示する。つまり、操作者に対し、有価媒体処理機１００に、誤って、流通券を装填しようとしている可能性がある旨を報知する。
【０１１４】
ここで、記番号が連続していないものの、新券である場合も起こり得る。識別部２０が逐次読み取った記番号の並びによって、自動的に装填処理を中止するのではなく、操作者が装填処理の中止と継続とを選択することができるため、貨幣処理装置１の使い勝手を向上させることができる。
【０１１５】
操作者が装填処理の中止又は継続を選択すれば、ステップＳ１６において制御部３００は、装填処理の中止が選択されたか否かを判定する。装填処理の中止が選択されたときには、制御プロセスはステップＳ１７に進む。一方、装填処理の継続が選択されたときには、制御プロセスはステップＳ１９に進む。この場合、操作者が装填しようとしている紙幣は新券であるため、制御部３００は、ステップＳ１９において装填処理を継続（つまり、再開）し、ステップＳ２０において一時保留部８３内の、装填用の紙幣を、収納部８０に収納し、装填処理が完了する。
【０１１６】
これに対し、ステップＳ１７において制御部３００は、装填処理を中止する。この場合、装填処理を開始してから、少なくとも所定枚数分の紙幣が、一時保留部８３に収納されていると共に、装填部８１にも装填用として装填された紙幣が残っている場合がある。そこで、ステップＳ１８において制御部３００は、図６のＰ６３に白抜きの矢印で示すように、一時保留部８３の紙幣を装填部８１に搬送する。その後、制御部３００は、装填部８１のロックを解除する。操作者は、装填部８１を引き出して、内部の紙幣を取り出すことができる。有価媒体処理機１００は、装填処理を開始する前の状態に戻る。
【０１１７】
以上説明をしたように、記憶部３１０が、装置に優先して装填する紙幣の番号体系を記憶しており、装填処理時に、識別部２０又は判別部８５が読み取った紙幣の記番号の番号体系が、記憶している番号体系に一致しないときには、装填処理を停止することによって、紙幣処理機１０及び有価媒体処理機１００の誤装填を防止することができる。つまり、紙幣処理機１０に、誤って新券を装填したり、有価媒体処理機１００に、誤って流通券を装填したりすることを防止することができる。
【０１１８】
また、制御部３００は、装填処理の開始から所定数の紙幣について、記番号の並びが、記憶している番号体系に一致するか否かを判定することにより、誤装填、又は、誤装填の可能性があるときに、無駄な装填処理を継続してしまうことを防止することができる。
【０１１９】
尚、装填処理を行おうとしたときに、装填用の紙幣に新券と流通券とが混在していることは、ほとんど起こらないため、装填処理の開始から所定数の紙幣に基づいて判定を行えば、装置への誤装填を、効果的に、防止することができる。
【０１２０】
ここで、前述したように、紙幣の装填処理を行う前の、操作者が装填用の紙幣を、装置にセットする際に、優先して装填する紙幣の番号体系に係る情報、具体的に紙幣処理機１０の装填処理時は、「流通券を優先して装填する」こと、若しくは、「記番号が連続していない紙幣を優先して装填する」ことを操作表示部３０２に表示する、又は、有価媒体処理機１００の装填処理時は、「新券を優先して装填する」こと、若しくは、「記番号が連続している紙幣を優先して装填する」ことを操作表示部３０２に表示する、ようにすれば、操作者の利便性を向上させることができる。
【０１２１】
また、装填処理を停止したときに、操作表示部３０２に表示をして操作者に報知を行うことにより（図１０のＤ１０１参照）、操作者は、誤装填、又は、誤装填の可能性があることを認識することができる。操作者は、装填処理の中止又は継続を選択することができるため、誤装填が継続してしまうことを防止することができる。また、誤装填でないときには、装填処理を継続することによって、装填処理を速やかに終了することができる。
【０１２２】
誤装填であったとして装填処理を中止したときには、装置に取り込んだ紙幣を回収する処理を行うことによって（図５のＰ５３、及び、図６のＰ６３参照）、紙幣処理機１０又は有価媒体処理機１００は、装填処理を開始する前の状態に戻ることができる。
【０１２３】
（他の実施形態）
ここで、装填処理の開始から所定数の紙幣については紙幣の搬送速度を遅くし、記番号の並びが、記憶している番号体系に一致していると判定した後に、紙幣の搬送速度を早くして、装填処理を行うようにしてもよい。こうすることで、紙幣の記番号の読み取り精度が高くなるから、誤装填か否かの判定を正確に行うことができる一方で、誤装填でないときには、装填処理に要する時間を短くすることができる。尚、誤装填、又は、誤装填の可能性があると判断されて装填処理が停止した後、操作者が装填処理の継続を決定した（つまり、図７のステップＳ７でＮＯ、又は、ステップＳ１６でＮＯ）後も、紙幣の搬送速度を早くすればよい。
【０１２４】
図７のフローでは、装填処理の開始から所定数の紙幣について判定を行った後、装填処理を継続するのであれば、装填処理は停止することなく継続する。ここで、装填処理の開始から所定数の紙幣について記番号を読み取った後、装填処理を継続するときに、識別部２０又は判別部８５は、紙幣の識別又は判別を逐次行う一方で、紙幣の記番号の読み取りを省略してもよい。こうすることによって、装填処理は停止することなく継続する。また、識別部２０又は判別部８５は、紙幣の識別又は判別と、紙幣の記番号の読み取りとを逐次行う一方で、制御部３００は、記番号の並びが、記憶している番号体系に一致しているか否かを判定しないとしてもよい。こうすることによっても、装填処理は停止することなく継続する。さらに、識別部２０又は判別部８５は、紙幣の識別又は判別と、紙幣の記番号の読み取りとを逐次行う一方で、制御部３００は、記番号の並びが、記憶している番号体系に一致しているか否かを判定するものの、記番号の並びが、記憶している番号体系に一致しないときも、操作者が装填処理の継続を決定したことを優先して、装填処理は停止することなく継続するとしてもよい。
【０１２５】
また、装填処理の開始から所定数の紙幣について判定を行った後、装填処理を継続するときに、記番号の並びが記憶している番号体系に一致しているか否かを、継続して判断すると共に、記番号の並びが、記憶している番号体系に一致しないと判定したときには、装填処理を停止してもよい。こうすることで、紙幣処理機１０に新券が装填されること、又は、有価媒体処理機１００に流通券が装填されることを、確実に防止することが可能になる。
【０１２６】
さらに、誤装填、又は、誤装填の可能性があるため装填処理を停止したときに、操作表示部３０２に表示をする代わりに、又は、操作表示部３０２に表示をすることに加えて、音声案内によって操作者に報知を行うようにしてもよい。
【０１２７】
装填処理を開始する前の、操作者が装填用の紙幣を装置にセットする際に、優先して装填する紙幣の番号体系に係る情報を、操作表示部３０２に表示をする代わりに、又は、操作表示部３０２に表示をすることに加えて、音声案内によって操作者に通知を行うようにしてもよい。
【０１２８】
紙幣処理機１０の装填処理は、投入部１４に装填用の紙幣を投入することに限らない。入金一時保留部３０が空のときには、入金一時保留部３０に装填用の紙幣を、操作者が手で投入し、入金一時保留部３０から金種別バラ紙幣収納部３４に装填用の紙幣を搬送するようにしてもよい（図８の画面Ｄ８３における「一時保留部装填」参照）。
【０１２９】
具体的に、画面Ｄ８３において「一時保留部装填」が選択されると、下部扉１２ａのロックが解除される。操作者は、下部扉１２ａを開けて入金一時保留部３０を筐体１２から引き出し、入金一時保留部３０内に手で装填用の紙幣を投入する。入金一時保留部３０を筐体１２内に入れて下部扉１２ａを閉め、装填処理の開始操作を行うと、入金一時保留部３０は、収納している紙幣を一枚ずつ繰り出す。図５のＰ１２に示すように、紙幣は識別部２０に搬送され、識別部２０は、紙幣の識別と共に、記番号を読み取る。紙幣はその後、対応する金種別バラ紙幣収納部３４に収納される。
【０１３０】
一時保留部装填のときも、装填処理の開始から所定枚数分の紙幣の記番号を読み取ったときに、制御部３００は、識別部２０が読み取った記番号の並びが、連続しているか否かを判定する。連続していないときには流通券が装填されていると判断し、装填処理を継続する。一方、連続しているときには新券が装填されていると判断し、装填処理を停止する。操作者が処理の継続を指定したときには、装填処理が再開する。一方、操作者が処理の中止を指定したときには、既に金種別バラ紙幣収納部３４に収納されている紙幣を、当該金種別バラ紙幣収納部３４から繰り出すと共に、その紙幣を入金一時保留部３０に戻す。全ての紙幣が入金一時保留部３０に戻れば、制御部３００は、下部扉１２ａのロックを解除すると共に、操作者に入金一時保留部３０から、装填用として投入した紙幣の取り出しを促す。一時保留部装填が中止する。
【０１３１】
装填処理においては、識別部２０及び判別部８５は、通過する紙幣の記番号を逐次読み取るが、全ての記番号を読み取ることができない場合がある。特に有価媒体処理機１００に新券の装填処理を行うときに、記番号の読み取りができなかったときには、装填処理を停止すると共に、操作者に装填処理の中止及び継続を選択させるようにしてもよい。
【０１３２】
また、記番号の読み取りができなかったとしても、読み取ることができなかった記番号の数が、所定枚数（例えば１枚）以下であって、記番号の並びが連続していると推測することができるときには、記番号が連続していると判断してもよい。例えば、読み取った記番号の並びが、「Ａ０００００１」「Ａ０００００２」「読み取り不可」「Ａ０００００４」「Ａ０００００５」であったときには、読み取ることができなかった３番目の紙幣の記番号は、「Ａ０００００３」と推測することができるため、記番号の並びは連続していると判断してもよい。有価媒体処理機１００に新券の装填処理を行うときには、装填処理が継続する。
【０１３３】
一方、読み取ることができなかった記番号が連続するときには、記番号の並びは連続していないと判断してもよい。例えば、読み取った記番号の並びが、「Ａ０００００１」「Ａ０００００２」「読み取り不可」「読み取り不可」「Ａ０００００５」のときには、記番号を読み取ることができなかった紙幣が、二枚続いているため、記番号の並びは連続していないと判断してもよい。有価媒体処理機１００に新券の装填処理を行うときには、装填処理が、一旦、停止する。
【０１３４】
尚、ここに開示する技術は、図１に示す貨幣処理装置１に適用することに限らず、図４に示す貨幣処理装置１と管理コンピュータ４００とによって構成される、貨幣処理システムに適用することも可能である。つまり、少なくとも収納部を備えかつ、その収納部に紙幣の装填処理を行う装置の本体部（貨幣処理装置１）と、装填処理の停止等の指示を行う装置の制御部（管理コンピュータ４００）とを、別体にしてもよい。
【０１３５】
さらに、図１に示す貨幣処理装置１は、新券を収納する収納部を備えた装置（つまり、有価媒体処理機１００）と、流通券を収納する収納部を備えた装置（つまり、紙幣処理機１０）とが別の装置によって構成されているが、一台の装置の中に、新券を収納する収納部と、流通券を収納する収納部とを備え、それぞれの収納部に優先して装填する紙幣の記番号の番号体系を記憶するようにしてもよい。つまり、新券を収納する収納部に紙幣を装填するときには、記番号が連続している番号体系を優先し、流通券を収納する収納部に紙幣を装填するときには、記番号が連続していない番号体系を優先するようにしてもよい。
【符号の説明】
【０１３６】
１  貨幣処理装置
１０  紙幣処理機（貨幣処理装置）
１００  有価媒体処理機（貨幣処理装置）
１４  投入部（受入部）
２０  識別部（読取部）
３０  入金一時保留部（収納部）
３００  制御部
３０２  操作表示部（報知部、通知部）
３４  金種別バラ紙幣収納部（収納部）
８０  収納部
８１  装填部（受入部）
８３  一時保留部（収納部）
８５  判別部（読取部）
【図１】
2019046373.tif 000003
【図２】
2019046373.tif 000004
【図３】
2019046373.tif 000005
【図４】
2019046373.tif 000006
【図５】
2019046373.tif 000007
【図６】
2019046373.tif 000008
【図７】
2019046373.tif 000009
【図８】
2019046373.tif 000010
【図９】
2019046373.tif 000011
【図１０】
2019046373.tif 000012